【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
反射光学素子のみから構成され、変倍時にはどの光学素子も移動せずに反射面の形状を変化させることにより変倍を行うことを特徴とするズーム光学系。
【請求項２】
少なくとも４つの形状可変の反射面を有し、変倍時にはどの光学素子も移動せずに反射面の形状を変化させることにより変倍を行うことを特徴とするズーム光学系。
【請求項３】
請求項１又は２記載のズーム光学系において、反射面はミラーから構成されることを特徴とするズーム光学系。
【請求項４】
請求項１又は２記載のズーム光学系において、反射面は対称面が１つのみの回転非対称な曲面形状であることを特徴とするズーム光学系。
【請求項５】
請求項１又は２記載のズーム光学系において、少なくとも１面の正パワーと１面の負パワーの反射面を有することを特徴とするズーム光学系。
【請求項６】
請求項１又は２記載のズーム光学系において、フォーカシングも可変形状反射面で行うことを特徴とするズーム光学系。
【請求項７】
請求項１又は２記載のズーム光学系において、少なくとも１面の形状可変反射面は下記の条件式を満たすことを特徴とするズーム光学系。
０．００５＜｜２ｎ・Ｉｈ／（ cosθ・ｒmax ）｜＜５    ・・・（１）
ただし、ｒmax は軸上主光線が通過する地点での最大変形時の曲率半径、ｎは入射射出側のｄ線の屈折率、θは反射角、Ｉｈは最大像高である。
【請求項８】
請求項１又は２記載のズーム光学系において、少なくとも１面の形状可変反射面は下記の条件式を満たすことを特徴とするズーム光学系。
０．０００１＜｜（１／ｒw −１／ｒt ）・Ｉｈ｜＜１０  ・・・（２）
ただし、ｒw は広角端での軸上主光線が通過する地点での曲率半径、ｒt は望遠端での軸上主光線が通過する地点での曲率半径、Ｉｈは最大像高である。
【請求項９】
請求項１又は２記載のズーム光学系において、下記の条件式を満たすことを特徴とするズーム光学系。
０．０１＜｜ｒ1 ／ｒ2 ｜＜１００                      ・・・（３）
ただし、ｒ1 は最も物体側に配置された反射面の広角端での軸上主光線が通過する地点の曲率半径、ｒ2 は物体側より２番目に配置された反射面の広角端での軸上主光線が通過する地点での曲率半径である。
【請求項１０】
請求項１又は２記載のズーム光学系において、下記の条件式を満たすことを特徴とするズーム光学系。
０．１＜ｒ1X／ｒ1Y＜１０                              ・・・（４）
ただし、ｒ1Xは最も物体側に配置された反射面の広角端での軸上主光線が通過する地点のＸ方向の曲率半径、ｒ1Yは最も物体側に配置された反射面の広角端での軸上主光線が通過する地点でのＹ方向の曲率半径である。
【請求項１１】
請求項１又は２記載のズーム光学系において、少なくとも１面の反射面は次の条件式を満たすことを特徴とするズーム光学系。
１５°＜θ＜７５°                                    ・・・（５）
ただし、θは反射面における軸上主光線の反射角である。
【請求項１２】
請求項１又は２記載のズーム光学系において、明るさ絞りが物体側に少なくとも２面の反射面を配置して配されていることを特徴とするズーム光学系。
【請求項１３】
請求項１又は２記載のズーム光学系において、静電気駆動の形状可変ミラーを用いたことを特徴とするズーム光学系。
【請求項１４】
請求項１又は２記載のズーム光学系において、電磁気力駆動の形状可変ミラーを用いたことを特徴とするズーム光学系。
【請求項１５】
請求項１又は２記載のズーム光学系において、圧電効果駆動の形状可変ミラーを用いたことを特徴とするズーム光学系。
【請求項１６】
請求項１又は２記載のズーム光学系において、流体駆動の形状可変ミラーを用いたことを特徴とするズーム光学系。
【請求項１７】
請求項１又は２記載のズーム光学系において、形状可変反射面の中心部を固定し、周辺部の面形状を変形させることを特徴とするズーム光学系。
【請求項１８】
少なくとも３つの形状可変の反射面を有し、軸上主光線を１つの反射面に入射出する軸上主光線を含んだ平面上へ射影することにより定義される射影軸上主光線が、光線の進行方向を基準としたとき、連続した２つの反射面で同じ方向に曲がり、もう１面では異なる方向に曲がる光路をとるように反射面を配置し、反射面の形状を変化させることにより変倍を行うことを特徴とするズーム光学系。
【請求項１９】
少なくとも３つの形状可変の反射面を有し、軸上主光線を１つの反射面に入射出する軸上主光線を含んだ平面上へ射影することにより定義される射影軸上主光線が、光線の進行方向を基準としたとき、何れも異なる方向に曲がる光路をとるように反射面を配置し、反射面の形状を変化させることにより変倍を行うことを特徴とするズーム光学系。
【請求項２０】
少なくとも３つの形状可変の反射面を有し、軸上主光線を１つの反射面に入射出する軸上主光線を含んだ平面上へ射影することにより定義される射影軸上主光線が、光線の進行方向を基準としたとき、何れも同じ方向に曲がる光路をとるように反射面を配置し、反射面の形状を変化させることにより変倍を行うことを特徴とするズーム光学系。
【請求項２１】
少なくとも４つの形状可変の反射面を有し、軸上主光線を１つの反射面に入射出する軸上主光線を含んだ平面上へ射影することにより定義される射影軸上主光線が、光線の進行方向を基準としたとき、第２番目は第１番目と同じ方向に曲がり、第３番目は第２番目とは異なる方向に曲がり、第４番目は第３番目と同じ方向に曲がる光路をとるように反射面を配置し、反射面の形状を変化させることにより変倍を行うことを特徴とするズーム光学系。
【請求項２２】
少なくとも４つの形状可変の反射面を有し、軸上主光線を１つの反射面に入射出する軸上主光線を含んだ平面上へ射影することにより定義される射影軸上主光線が、光線の進行方向を基準としたとき、第２番目は第１番目と同じ方向に曲がり、第３番目は第２番目とは異なる方向に曲がり、第４番目は第３番目と異なる方向に曲がる光路をとるように反射面を配置し、反射面の形状を変化させることにより変倍を行うことを特徴とするズーム光学系。
【請求項２３】
少なくとも４つの形状可変の反射面を有し、軸上主光線を１つの反射面に入射出する軸上主光線を含んだ平面上へ射影することにより定義される射影軸上主光線が、光線の進行方向を基準としたとき、何れも異なる方向に曲がる光路をとるように反射面を配置し、反射面の形状を変化させることにより変倍を行うことを特徴とするズーム光学系。
【請求項２４】
少なくとも４つの形状可変の反射面を有し、軸上主光線を１つの反射面に入射出する軸上主光線を含んだ平面上へ射影することにより定義される射影軸上主光線が、光線の進行方向を基準としたとき、第２番目は第１番目と異なる方向に曲がり、第３番目は第２番目とは異なる方向に曲がり、第４番目は第３番目と同じ方向に曲がる光路をとるように反射面を配置し、反射面の形状を変化させることにより変倍を行うことを特徴とするズーム光学系。
【請求項２５】
少なくとも４つの形状可変の反射面を有し、軸上主光線を１つの反射面に入射出する軸上主光線を含んだ平面上へ射影することにより定義される射影軸上主光線が、光線の進行方向を基準としたとき、何れも同じ方向に曲がる光路をとるように反射面を配置し、反射面の形状を変化させることにより変倍を行うことを特徴とするズーム光学系。
【請求項２６】
少なくとも４つの形状可変の反射面を有し、軸上主光線を１つの反射面に入射出する軸上主光線を含んだ平面上へ射影することにより定義される射影軸上主光線が、光線の進行方向を基準としたとき、第２番目は第１番目と同じ方向に曲がり、第３番目は第２番目とは同じ方向に曲がり、第４番目は第３番目と異なる方向に曲がる光路をとるように反射面を配置し、反射面の形状を変化させることにより変倍を行うことを特徴とするズーム光学系。
【請求項２７】
請求項１から２６の何れか１項記載のズーム光学系と、その像側に配置された電子撮像素子とを有することを特徴とする撮像装置。